(57)【特許請求の範囲】
【請求項１】
インターネットを介してデータの送受信を実行することのできるインターネット通信システムであって、
インターネット経由でデータの送受信を行うために、予め電子メールアドレスとＵＲＬとを登録しておく通信先登録手段と、
インターネット経由でデータの送受信を行うことを指令するインターネット指令手段と、
該インターネット指令手段により、インターネット経由でデータの送受信を行うことが指令されたとき、前記通信先登録手段に登録されている電子メールアドレス宛にデータを送信する処理を行うのか、前記通信先登録手段に登録されているＵＲＬに対応するＷＥＢから当該ＷＥＢのホームページデータをダウンロードして受信する処理を行うのかを判定する判定手段と、
該判定手段により、前記通信先登録手段に登録されている電子メールアドレス宛にデータを送信する処理を行うと判定された場合には、前記通信先登録手段の中から電子メールアドレスだけを抽出し、該抽出した電子メールアドレスの一覧を通信先候補として表示し、前記判定手段により、前記通信先登録手段に登録されているＵＲＬに対応するＷＥＢから当該ＷＥＢのホームページデータをダウンロードして受信する処理を行うと判定された場合には、前記通信先登録手段の中からＵＲＬだけを抽出し、該抽出したＵＲＬの一覧を通信先候補として表示する通信先候補表示手段と、
前記通信先候補表示手段により抽出されて通信先候補として表示されている電子メールアドレス又はＵＲＬの中から所望のものを選択する選択手段と、
原稿を読み取る原稿読み取り手段とを備え、
前記判定手段が、前記原稿読み取り手段に原稿がセットされている場合には、前記インターネット指令手段により、インターネット経由でデータの送受信を行うことが指令されたとき、前記通信先登録手段に登録されている電子メールアドレス宛にデータを送信する処理を行うものと判定する手段として構成されていること
を特徴とするインターネット通信システム。
【請求項２】
請求項１に記載のインターネット通信システムにおいて、
前記通信先候補表示手段が、前記通信先登録手段に予め登録されている電子メールアドレス及びＵＲＬの中から、「＠」マークの有無によって電子メールアドレスであるのかＵＲＬであるのかを判断して、前記通信先候補の抽出を実行する様に構成されていること
を特徴とするインターネット通信システム。
【請求項３】
請求項１又は請求項２記載のインターネット通信システムにおいて、
前記インターネット指令手段が、前記原稿読み取り手段に原稿がセットされていない場合には、さらに、前記通信先登録手段に登録されている電子メールアドレス宛に電子メールデータを送信する処理を行うのか、前記通信先登録手段に登録されているＵＲＬに対応するＷＥＢから当該ＷＥＢのホームページデータをダウンロードして受信する処理を行うのかを指令する処理内容指令手段を備え、
前記判定手段が、前記処理内容指令手段による指令に従って、前記判定を実行する手段として構成されていること
を特徴とするインターネット通信システム。
【請求項４】
請求項１〜請求項３のいずれかに記載のインターネット通信システムにおいて、
インターネットに接続されるサーバと、
前記インターネット指令手段により、インターネット経由でデータの送受信を行うことが指令された場合に、前記サーバに対して公衆回線を介して接続されるファクシミリ端末とを備え、
前記サーバが、前記ファクシミリ端末からＧ３データを受信した場合には当該Ｇ３データを電子メールフォーマットのデータに変換して前記候補選択手段によって選択されている電子メールアドレス宛に送信する処理を実行すると共に、前記候補選択手段によってＵＲＬが選択された場合には、当該ＵＲＬに対応するＷＥＢに接続して当該ＷＥＢからホームページデータのダウンロードを受けると共に当該ホームページデータをＧ３データに変換して前記ファクシミリ端末に送信する手段として構成されていること
を特徴とするインターネット通信システム。
【発明の詳細な説明】
【０００１】
【発明の属する技術分野】
本発明は、インターネット通信システムに係り、詳しくは、インターネット経由で電子メイルやファクシミリデータの送信を行うと共に、インターネット経由で所定のＷＥＢのホームページデータをダウンロードする機能を有するインターネット通信システムに関するものである。
【０００２】
【従来の技術】
近年のインターネットの普及により、従来より、インターネットを経由してファクシミリデータを送受信するインターネットファクシミリ通信システムが知られている（例えば、特開平９−２５２３９３号、特開平９−２４７３３４号、特開平１０−４２０６号）。また、通常のインターネット通信システムとして、ＵＲＬを入力して所望のＷＥＢに接続し、このＷＥＢのホームページデータをダウンロードする機能を備えたものも知られている。
【０００３】
【発明が解決しようとする課題】
しかし、インターネット経由でファクシミリデータの送信を行うと共に、所定のＷＥＢのホームページデータをダウンロードすることができる様にしたインターネットファクシミリ通信システムは今のところ存在していない。
【０００４】
そこで、本発明者は、インターネット経由でファクシミリデータの送信を行うと共に、所定のＷＥＢのホームページデータをダウンロードすることができる様にしたインターネットファクシミリ通信システムの開発を検討しているが、この場合、システムの操作性において以下の様な問題があることを見出した。
【０００５】
この問題というのは、インターネット経由でファクシミリデータを送信するためには、受信側の電子メールアドレスをアドレス帳に登録しておくと共に、所定のＷＥＢのホームページデータをダウンロードするためには当該ＷＥＢのＵＲＬをアドレス帳に登録しておくことが望ましいのであるが、この場合、アドレス帳に電子メールアドレスとＵＲＬとが混在してしまうので、アドレス帳を利用して電子メールアドレスを選択したりＵＲＬを選択したりする操作を行う際に、電子メールアドレスとＵＲＬが混在した形でアドレス帳の登録内容が表示されることとなり、電子メールアドレスやＵＲＬの選択を行う操作が煩雑になり、間違いを起こしやすいという問題である。
【０００６】
そこで、本発明は、インターネット経由で電子メールやファクシミリデータの送信を行うと共に、インターネット経由で所定のＷＥＢのホームページデータをダウンロードする機能を有する新規なインターネット通信システムを提案すると共に、かかる新規なインターネット通信システムにおいて、電子メールアドレスやＵＲＬの選択を容易に行うことができる様にすることを目的とする。
【０００７】
【課題を解決するための手段】
上記目的を達成するためになされた請求項１のインターネット通信システムは、インターネットを介してデータの送受信を実行することのできるインターネット通信システムであって、インターネット経由でデータの送受信を行うために、予め電子メールアドレスとＵＲＬとを登録しておく通信先登録手段と、インターネット経由でデータの送受信を行うことを指令するインターネット指令手段と、該インターネット指令手段により、インターネット経由でデータの送受信を行うことが指令されたとき、前記通信先登録手段に登録されている電子メールアドレス宛にデータを送信する処理を行うのか、前記通信先登録手段に登録されているＵＲＬに対応するＷＥＢから当該ＷＥＢのホームページデータをダウンロードして受信する処理を行うのかを判定する判定手段と、該判定手段により、前記通信先登録手段に登録されている電子メールアドレス宛にデータを送信する処理を行うと判定された場合には、前記通信先登録手段の中から電子メールアドレスだけを抽出し、該抽出した電子メールアドレスの一覧を通信先候補として表示し、前記判定手段により、前記通信先登録手段に登録されているＵＲＬに対応するＷＥＢから当該ＷＥＢのホームページデータをダウンロードして受信する処理を行うと判定された場合には、前記通信先登録手段の中からＵＲＬだけを抽出し、該抽出したＵＲＬの一覧を通信先候補として表示する通信先候補表示手段と、前記通信先候補表示手段により抽出されて通信先候補として表示されている電子メールアドレス又はＵＲＬの中から所望のものを選択する選択手段と、原稿を読み取る原稿読み取り手段とを備え、前記判定手段が、前記原稿読み取り手段に原稿がセットされている場合には、前記インターネット指令手段により、インターネット経由でデータの送受信を行うことが指令されたとき、前記通信先登録手段に登録されている電子メールアドレス宛にデータを送信する処理を行うものと判定する手段として構成されていることを特徴とする。
【０００８】
この請求項１のインターネット通信システムによれば、通信先登録手段に、インターネット経由でデータの送受信を行うために、予め電子メールアドレスとＵＲＬとを登録しておく。そして、インターネット指令手段により、インターネット経由でデータの送受信を行うことを指令すると、判定手段が、通信先登録手段に登録されている電子メールアドレス宛にデータを送信する処理を行うのか、通信先登録手段に登録されているＵＲＬに対応するＷＥＢから当該ＷＥＢのホームページデータをダウンロードして受信する処理を行うのかを判定する。そして、通信先候補表示手段が、この判定手段により、通信先登録手段に登録されている電子メールアドレス宛にデータを送信する処理を行うと判定された場合には、通信先登録手段の中から電子メールアドレスだけを抽出し、こうして抽出した電子メールアドレスの一覧を通信先候補として表示し、判定手段により、通信先登録手段に登録されているＵＲＬに対応するＷＥＢから当該ＷＥＢのホームページデータをダウンロードして受信する処理を行うと判定された場合には、通信先登録手段の中からＵＲＬだけを抽出し、こうして抽出したＵＲＬの一覧を通信先候補として表示する。そして、選択手段を操作して、こうして通信先候補表示手段により抽出されて通信先候補として表示されている電子メールアドレス又はＵＲＬの中から所望のものを選択する。この結果、ユーザがインターネット経由で所望の宛先に電子メール化されたデータを送信することを希望する場合には、通信先候補としては、通信先登録手段に登録されている電子メールアドレスだけが候補として表示され、逆に、ユーザが所定のＷＥＢからホームページデータをダウンロードしたいという場合には、通信先登録手段に登録されているＵＲＬだけが表示されるので、選択手段による通信先の選択において、電子メールアドレスを選択すべきところをＵＲＬを選択してしまったり、その逆にＵＲＬを選択すべき所を電子メールアドレスを選択してしまったりするといった誤操作を有効に防止すると共に、通信先の選択を容易に行うことができるという作用・効果が発揮される。
【０００９】
また、請求項２のインターネット通信システムは、請求項１に記載のインターネット通信システムにおいて、前記通信先候補表示手段が、前記通信先登録手段に予め登録されている電子メールアドレス及びＵＲＬの中から、「＠」マークの有無によって電子メールアドレスであるのかＵＲＬであるのかを判断して、前記通信先候補の抽出を実行する様に構成されていることを特徴とする。
【００１０】
この請求項２のインターネット通信システムによれば、通信先候補表示手段は、通信先登録手段に予め登録されている電子メールアドレス及びＵＲＬの中から、「＠」マークの有無によって電子メールアドレスであるのかＵＲＬであるのかを判断して、通信先候補の抽出を実行する。これは、電子メールアドレスもＵＲＬも英数字で記載されるものの、電子メールアドレスには必ず「＠」マークが存在しているという性質を有効に活用したものである。そして、この請求項２のインターネット通信システムによれば、電子メールアドレスとＵＲＬが混在して登録されている通信先登録手段の中から、ユーザの意図に応じて電子メールアドレス及びＵＲＬのいずれか一方だけを効率よく抽出して通信先候補として表示することができる。
【００１１】
なお、請求項１のインターネット通信システムは、上述の如く、原稿を読み取る原稿読み取り手段を備え、前記判定手段が、前記原稿読み取り手段に原稿がセットされている場合には、前記インターネット指令手段により、インターネット経由でデータの送受信を行うことが指令されたとき、前記通信先登録手段に登録されている電子メールアドレス宛にデータを送信する処理を行うものと判定する手段として構成されている。
【００１２】
従って、判定手段は、原稿読み取り手段に原稿がセットされている場合には、インターネット指令手段により、インターネット経由でデータの送受信を行うことが指令されたとき、通信先登録手段に登録されている電子メールアドレス宛にデータを送信する処理を行うものと判定する。これは、原稿読み取り手段に原稿がセットされている場合に、インターネット指令手段による指令がなされた場合には、当該原稿を読み取って、インターネット経由で所望の宛先の電子メールアドレス宛に電子メール化したファクシミリデータを送信することをユーザが欲しているものと判断することができるからである。
【００１３】
また、請求項３のインターネット通信システムは、請求項１又は請求項２に記載のインターネット通信システムにおいて、前記インターネット指令手段が、前記原稿読み取り手段に原稿がセットされていない場合には、さらに、前記通信先登録手段に登録されている電子メールアドレス宛に電子メールデータを送信する処理を行うのか、前記通信先登録手段に登録されているＵＲＬに対応するＷＥＢから当該ＷＥＢのホームページデータをダウンロードして受信する処理を行うのかを指令する処理内容指令手段を備え、前記判定手段が、前記処理内容指令手段による指令に従って、前記判定を実行する手段として構成されていることを特徴とする。
【００１４】
この請求項３のインターネット通信システムによれば、インターネット指令手段が備える処理内容指令手段は、原稿読み取り手段に原稿がセットされていない場合には、さらに、通信先登録手段に登録されている電子メールアドレス宛に電子メールデータを送信する処理を行うのか、通信先登録手段に登録されているＵＲＬに対応するＷＥＢから当該ＷＥＢのホームページデータをダウンロードして受信する処理を行うのかを指令する。すると、判定手段は、この処理内容指令手段による指令に従って、上述の判定を実行し、通信先候補表示手段は、電子メールアドレス宛に電子メールデータを送信する処理を行うことをユーザが意図している場合には、通信先登録手段の中から電子メールアドレスだけを抽出して通信先候補として表示し、逆に、所定のＷＥＢからホームページデータをダウンロードすることをユーザが意図している場合には、通信先登録手段の中からＵＲＬだけを抽出して通信先候補として表示する。この結果、ユーザの意図を反映した通信先候補の表示が実行され、ユーザは、自分がこれから通信先として選択しようとしている電子メールアドレスやＵＲＬを容易に選択することができる。
【００１５】
また、請求項４のインターネット通信システムは、請求項１〜請求項３のいずれかに記載のインターネット通信システムにおいて、インターネットに接続されるサーバと、前記インターネット指令手段により、インターネット経由でデータの送受信を行うことが指令された場合に、前記サーバに対して公衆回線を介して接続されるファクシミリ端末とを備え、前記サーバが、前記ファクシミリ端末からＧ３データを受信した場合には当該Ｇ３データを電子メールフォーマットのデータに変換して前記候補選択手段によって選択されている電子メールアドレス宛に送信する処理を実行すると共に、前記候補選択手段によってＵＲＬが選択された場合には、当該ＵＲＬに対応するＷＥＢに接続して当該ＷＥＢからホームページデータのダウンロードを受けると共に当該ホームページデータをＧ３データに変換して前記ファクシミリ端末に送信する手段として構成されていることを特徴とする。
【００１６】
この請求項４のインターネット通信システムによれば、インターネットに接続されるサーバは、ファクシミリ端末からＧ３データを受信した場合には当該Ｇ３データを電子メールフォーマットのデータに変換して候補選択手段によって選択されている電子メールアドレス宛に送信する処理を実行すると共に、候補選択手段によってＵＲＬが選択された場合には、当該ＵＲＬに対応するＷＥＢに接続して当該ＷＥＢからホームページデータのダウンロードを受けると共に当該ホームページデータをＧ３データに変換してファクシミリ端末に送信する処理を実行する。この結果、ファクシミリ端末は、Ｇ３データの送信とＧ３データの受信とを行うことになり、それ自身は、Ｇ３データを電子メールとして送信可能なテキストデータ化イメージデータへの変換を行ったり、逆に、ＨＴＭＬデータをＧ３データに変換する処理を行うことなく、ファクシミリデータを所望の宛先に対してインターネット経由で送信したり、所望のＷＥＢのホームページデータをダウンロードして印刷出力するといったことを実行可能になる。
【００１７】
【発明の実施の形態】
次に、本発明の一実施の形態を図面に従って説明する。実施の形態は、インターネットファクシミリ通信システムに関するものである。このインターネットファクシミリ通信システム１は、図１に示す様に、ＦＡＸ装置１０と、このＦＡＸ装置１０と公衆回線で接続される交換機２０と、この交換機２０と公衆回線で接続されるサーバ３０と、このサーバ３０と接続されるインターネット４０と、このインターネット４０と接続されるワールドワイドウェブ（ＷＷＷ）サーバ５０と、インターネット４０と接続されるＰＯＰサーバ６０と、このＰＯＰサーバ６０と接続される相手先端末７０と、交換機２０を介して公衆回線で接続されるＦＡＸ装置８０等から構成されている。ここで、サーバ３０は、ＦＡＸ装置１０からＧ３データを受信した場合には当該Ｇ３データを電子メールフォーマットのデータに変換してユーザが選択した電子メールアドレス宛に送信する処理を実行すると共に、ユーザからＷＷＷサーバ５０のＵＲＬが選択された場合には、当該ＵＲＬに対応するＷＷＷサーバ５０に接続して当該ＷＷＷサーバ５０からホームページデータのダウンロードを受けると共に当該ホームページデータをＧ３データに変換してＦＡＸ装置１０にコールバックする手段として構成されている。
【００１８】
ＦＡＸ装置１０は、図２に示す様に、ＬＣＤ１１と、テンキー１２と、Ｅ−Ｍａｉｌキー１３と、Ｅ−Ｍａｉｌ  ＩＮＤＥＸキー１４と、スクロールキー１５，１６と、選択キー１７と、スタートキー１８とを備えている。Ｅ−Ｍａｉｌキー１３は、このＦＡＸ装置１０を用いて、インターネット４０経由でファクシミリデータの送信や電子メールの送信を行う際に押下するキーである。Ｅ−Ｍａｉｌ  ＩＮＤＥＸキー１４は、後述する様に、ＬＣＤ１１に電子メールアドレスやＷＥＢのＵＲＬを表示させるために押下するキーである。スクロールキー１５，１６は、後述する様に、Ｅ−Ｍａｉｌ  ＩＮＤＥＸキー１４を押下してＬＣＤ１１に表示された電子メールアドレスやＵＲＬの情報をスクロールアップ及びスクロールダウンするためのものである。選択キー１７は、後述する様に、Ｅ−Ｍａｉｌ  ＩＮＤＥＸキー１４を押下してＬＣＤ１１に表示させた電子メールアドレスやＵＲＬの中から所望のものを選択する際に押下するものである。スタートキー１８は、このＦＡＸ装置１０からインターネット４０経由でファクシミリデータや電子メールを送信したり、所望のＷＥＢのホームページデータのダウンロードを指示するためのものである。
【００１９】
また、ＦＡＸ装置１０は、図３に示す様に、ＣＰＵ１０ａと、ＲＯＭ１０ｂと、ＲＡＭ１０ｃと、ＥＥＰＲＯＭ１０ｄと、文字入力キー１０ｅと、スキャナ１０ｆと、プリンタ１０ｇと、符号・復号器１０ｈと、ＦＡＸモデム１０ｉと、ＮＣＵ１０ｊとを備えている。ＣＰＵ１０ａは、このＦＡＸ装置１０の全体の制御を実行するものである。ＲＯＭ１０ｂは、ＣＰＵ１０ａが実行する制御プログラムや制御データ等を予め記憶しておくものである。ＲＡＭ１０ｃは、ＣＰＵ１０ａによる制御処理が実行される際に、ファクシミリデータを送受信する際の画像メモリとして使用されたり、後述する文字入力キー１０ｅから入力された電子メールを記憶したり、各種制御処理におけるワークエリアとして機能するものである。ＥＥＰＲＯＭ１０ｄは、後述する様に、ＦＡＸ番号や電子メールアドレスやＷＥＢのＵＲＬを記憶しておくために設けられている。
【００２０】
文字入力キー１０ｅは、このＦＡＸ装置１０からインターネット４０を経由して電子メールを送信する際のメール本文の入力を行うために設けられたものであり、本実施の形態ではテンキー１２がその役割を果たしている。例えば、テンキー１２の内の「１」のキーには、「ア、イ、ウ、エ、オ、Ａ、Ｂ、Ｃ、ａ、ｂ、ｃ、１」が、「２」のキーには、「カ、キ、ク、ケ、コ、Ｄ、Ｅ、Ｆ、ｄ、ｅ、ｆ、２」が、・・・「＃」のキーには、「・・・、＠、・・・」といった具合に各キーに対して文字、数字及び記号が割り当てられている。
【００２１】
スキャナ１０ｆは、このＦＡＸ装置１０からファクシミリデータを送信する際に、原稿を読み取るために設けられている。プリンタ１０ｇは、このＦＡＸ装置１０が受信したファクシミリデータやＷＥＢのホームページデータを記録紙に印刷出力するためのものである。符号・復号器１０ｈは、スキャナ１０ｆで原稿から読み取った画像データをＧ３圧縮形式に変換したり、受信したＧ３圧縮形式のデータをプリンタ１０ｇで印刷出力可能なイメージデータに変換するためのものである。ＦＡＸモデム１０ｉは、公衆回線を介してファクシミリデータや電子メールデータを送受信するためのものである。ＮＣＵ１０ｊは、ファクシミリ送受信の際の通信制御手順を実行するためのものである。
【００２２】
ＥＥＰＲＯＭ１０ｄには、図４に示す様に、ＦＡＸ番号を記憶しておくＦＡＸ番号記憶エリア１０ｄ１と、電子メールアドレス及びＵＲＬを記憶しておくインターネット宛先記憶エリア１０ｄ２とが備えられている。そして、ユーザが、テンキー１２を用いて入力したＦＡＸ番号はＦＡＸ番号記憶エリア１０ｄ１に記憶され、テンキー１２を用いて入力した電子メールアドレス及びＵＲＬはインターネット宛先記憶エリア１０ｄ２に記憶されている。ここで、インターネット宛先記憶エリア１０ｄ２内には、図示の様に、電子メールアドレスとＵＲＬとがランダムに混在した形で記憶される。
【００２３】
次に、本実施の形態のインターネットファクシミリ通信システム１によりインターネット４０を経由して、ファクシミリデータや電子メールを送信したり、所望のＷＥＢのホームページデータをダウンロードするためのインターネット通信制御処理の内容について、図５〜図８のフローチャートに基づいて説明する。
【００２４】
この処理においては、まず最初に、スキャナ１０ｆに原稿がセットされているか否かを判断する（Ｓ１０）。原稿がセットされている場合には（Ｓ１０：ＹＥＳ）、Ｅ−Ｍａｉｌキー１３が押下されたか否かを判断する（Ｓ２０）。ここで、Ｅ−Ｍａｉｌキー１３が押下されていると判断された場合には（Ｓ２０：ＹＥＳ）、次にＥ−Ｍａｉｌ  ＩＮＤＥＸキー１４が押下されたか否かを判断する（Ｓ３０）。そして、Ｅ−Ｍａｉｌ  ＩＮＤＥＸキー１４が押下されたと判断された場合には（Ｓ３０：ＹＥＳ）、ＥＥＰＲＯＭ１０ｄ内のインターネット宛先記憶エリア１０ｄ２の中から、＠マークが記入されているものだけを抽出し（Ｓ４０）、この抽出結果を宛先候補としてＬＣＤ１１に表示する（Ｓ５０）。そして、ユーザによりスクロールキー１５，１６が操作されたか否かを判断し（Ｓ６０）、スクロールキー１５，１６が操作された場合には（Ｓ６０：ＹＥＳ）、スクロールキー１５，１６の操作状況に応じて、宛先候補をスクロールアップスクロールダウンする（Ｓ７０）。このとき、ＬＣＤ１１の最上部に表示されている宛先候補を反転表示しておく。そして、選択キー１７が押下されたか否かを判断し（Ｓ８０）、選択キーが押下された場合には（Ｓ８０：ＹＥＳ）、その時点で反転表示されている宛先候補を電子メールの宛先として設定し（Ｓ９０）、スタートキー１８の押下を待つ（Ｓ１００）。
【００２５】
スタートキー１８が押下されたら（Ｓ１００：ＹＥＳ）、スキャナ１０ｆにセットされている原稿から画像データの読み取りを行うと共に（Ｓ１１０）、符号・復号器１０ｈにより画像データをＧ３圧縮形式のデータに変換すると共に（Ｓ１２０）、ファクシミリ通信手順を実行し、サーバ３０に対して、Ｓ８０で選択された電子メールアドレスとＳ１２０で変換されたＧ３圧縮形式の画像データとを送信する（Ｓ１３０）。すると、サーバ３０では、ＦＡＸ装置１０から送信されてきたＧ３圧縮形式の画像データを、インターネット４０を経由して電子メールとして送信可能なＴＩＦＦ圧縮形式のデータに変換すると共に（Ｓ１４０）、Ｓ１３０で送信されてきた電子メールアドレスをヘッダ情報として添付してこのＴＩＦＦ圧縮形式のデータをインターネット４０に対して送信する（Ｓ１５０）。この結果、ユーザの所望する宛先に対してファクシミリデータを電子メールとして送信する処理が実行されることになる。
【００２６】
一方、原稿がセットされていない場合にも（Ｓ１０：ＮＯ）、Ｅ−Ｍａｉｌキー１３が押下されたか否かを判断する（Ｓ１６０）。ここで、Ｅ−Ｍａｉｌキー１３が押下されていると判断された場合には（Ｓ１６０：ＹＥＳ）、ＬＣＤ１１に「１．ＴＥＸＴ  ＴＯ  ＥＭＡＩＬ」という文字列と、「２．ＷＥＢ  Ｒｅｔｒｉｖａｌ」という文字列とを表示する（Ｓ１７０）。ここで、「１．ＴＥＸＴ  ＴＯ  ＥＭＡＩＬ」とは、この後の処理において、電子メールを送信する処理を実行することを意味する。また、「２．ＷＥＢ  Ｒｅｔｒｉｖａｌ」とは、この後の処理において、ユーザが選択したＷＥＢのホームページデータをダウンロードして受信する処理を実行することを意味する。
【００２７】
そして、ユーザが、テンキー１２を操作して「１」又は「２」のキーを押下するのを待つ（Ｓ１８０）。「１」のキーが押下された場合は（Ｓ１８０：「１」）、以後の処理として電子メールを送信する処理が選択されたものと判断する（Ｓ１９０）。この場合、ユーザは、テンキー１２を文字入力キー１０ｅとして使用し、テキストデータを入力するので、このテキストデータをＲＡＭ１０ｃに記憶する（Ｓ２００）。そして、次にＥ−Ｍａｉｌ  ＩＮＤＥＸキー１４が押下されたか否かを判断する（Ｓ２１０）。
【００２８】
ここで、Ｅ−Ｍａｉｌ  ＩＮＤＥＸキー１４が押下されたと判断された場合には（Ｓ２１０：ＹＥＳ）、ＥＥＰＲＯＭ１０ｄ内のインターネット宛先記憶エリア１０ｄ２の中から、＠マークが記入されているものだけを抽出し（Ｓ２２０）、この抽出結果を宛先候補としてＬＣＤ１１に表示する（Ｓ２３０）。
【００２９】
そして、ユーザによりスクロールキー１５，１６が操作されたか否かを判断し（Ｓ２４０）、スクロールキー１５，１６が操作された場合には（Ｓ２４０：ＹＥＳ）、スクロールキー１５，１６の操作状況に応じて、宛先候補をスクロールアップスクロールダウンする（Ｓ２５０）。このときも、ＬＣＤ１１の最上部に表示されている宛先候補を反転表示しておく。そして、選択キー１７が押下されたか否かを判断し（Ｓ２６０）、選択キーが押下された場合には（Ｓ２６０：ＹＥＳ）、その時点で反転表示されている宛先候補を電子メールの宛先として設定し（Ｓ２７０）、スタートキー１８の押下を待つ（Ｓ２８０）。
【００３０】
ここで、スタートキー１８が押下されたら（Ｓ２８０：ＹＥＳ）、ＲＡＭ１０ｅからテキストデータを読み出すと共に（Ｓ２９０）、ファクシミリ通信手順を実行し、サーバ３０に対して、Ｓ２７０で選択された電子メールアドレスとＳ３００でＲＡＭ１０ｅから読み出したテキストデータとを送信する（Ｓ３００）。すると、サーバ３０では、ＦＡＸ装置１０から送信されてきたテキストデータに対して、同じくＦＡＸ装置１０から送信されてきた電子メールアドレスをヘッダ情報として添付してインターネット４０に対して送信する（Ｓ３１０）。この結果、ユーザの所望する宛先に対して電子メールの送信が実行されることになる。
【００３１】
一方、Ｓ１８０において、ユーザが、テンキー１２を操作して「２」のキーを押下した場合は（Ｓ１８０：「２」）、以後の処理としてユーザの所望するＷＥＢからそのホームページデータをダウンロードして受信する処理が選択されたものと判断する（Ｓ３２０）。そして、次にＥ−Ｍａｉｌ  ＩＮＤＥＸキー１４が押下されたか否かを判断する（Ｓ３３０）。
【００３２】
ここで、Ｅ−Ｍａｉｌ  ＩＮＤＥＸキー１４が押下されたと判断された場合には（Ｓ３３０：ＹＥＳ）、ＥＥＰＲＯＭ１０ｄ内のインターネット宛先記憶エリア１０ｄ２の中から、＠マークが記入されていないものだけを抽出し（Ｓ３４０）、この抽出結果を宛先候補としてＬＣＤ１１に表示する（Ｓ３５０）。
【００３３】
そして、ユーザによりスクロールキー１５，１６が操作されたか否かを判断し（Ｓ３６０）、スクロールキー１５，１６が操作された場合には（Ｓ３６０：ＹＥＳ）、スクロールキー１５，１６の操作状況に応じて、宛先候補をスクロールアップスクロールダウンする（Ｓ３７０）。このときも、ＬＣＤ１１の最上部に表示されている宛先候補を反転表示しておく。そして、選択キー１７が押下されたか否かを判断し（Ｓ３８０）、選択キーが押下された場合には（Ｓ３８０：ＹＥＳ）、その時点で反転表示されている宛先候補をホームページデータをダウンロードして受信するＷＥＢとして設定し（Ｓ３９０）、スタートキー１８の押下を待つ（Ｓ４００）。
【００３４】
そして、スタートキー１８が押下されたら（Ｓ４００：ＹＥＳ）、ファクシミリ通信手順を実行し、サーバ３０に対して、Ｓ３９０で設定されたＷＥＢのＵＲＬを送信し（Ｓ４１０）、一旦、サーバ３０との交信を絶ってサーバ３０からのコールバックがなされるのを待つ（Ｓ４２０）。
【００３５】
すると、サーバ３０では、図８に示す様に、ＦＡＸ装置１０から送信されてきたＵＲＬに対応するＷＥＢとの間をインターネット４０を経由して接続し（Ｓ５１０）、そのホームページデータをダウンロードすると共に（Ｓ５２０）、このＨＴＭＬ形式で作成されているホームページデータをＧ３圧縮形式に変換する処理を実行する（Ｓ５３０）。そして、その後、ＦＡＸ装置１０に対してコールバックを実行し（Ｓ５４０）、Ｓ５３０で変換してＧ３圧縮形式としたホームページデータをＦＡＸ装置１０に対して送信する処理を実行する（Ｓ５５０）。
【００３６】
こうしてサーバ３０からコールバックがなされると（Ｓ４２０：ＹＥＳ）、ＦＡＸ装置１０では、サーバ３０から送信されてきたＧ３圧縮形式の画像データを、一旦、ＲＡＭ１０ｃに記憶すると共に（Ｓ４３０）、このＲＡＭ１０ｃに記憶したＧ３圧縮形式の画像データを読み出しつつ符号・復号器１０ｈによってプリンタ１０ｇによる印刷が可能なデータ形式に復号化し（Ｓ４４０）、この画像データをプリンタ１０ｇを駆動して印刷出力する（Ｓ４５０）。この結果、ユーザが所望するＷＥＢのホームページデータをダウンロードして受信し、印刷出力する処理が実行されることになる。
【００３７】
以上説明した様に、この実施の形態のインターネットファクシミリ通信システム１によれば、インターネット経由でのファクシミリデータの送信、電子メールデータの送信、所望のＷＥＢのホームページデータのダウンロードをそれぞれ実行することができる。そして、これらの処理において、ユーザは、ファクシミリデータや電子メールの宛先としての電子メールアドレスと、ホームページデータをダウンロードするＷＥＢのＵＲＬとを、ＥＥＰＲＯＭ１０ｄに対してランダムに記憶させておいても、ユーザの意図する処理に応じて、電子メールアドレス又はＵＲＬのいずれかだけを抽出して、宛先候補としてＬＣＤ１１に表示することができるので、ユーザは容易に自分の実行しようとしている処理に対応する宛先を選択することができる。
【００３８】
この結果、ユーザがインターネット経由で所望の宛先に電子メール化されたデータを送信することを希望する場合には、宛先候補としては、ＥＥＰＲＯＭ１０ｄに予め登録しておいた電子メールアドレスだけがＬＣＤ１１に宛先候補として表示され、逆に、ユーザが所望のＷＥＢからホームページデータをダウンロードしたいという場合には、ＥＥＰＲＯＭ１０ｄに予め登録しておいたＵＲＬだけがＬＣＤ１１に宛先候補として表示されるので、通信先の選択において、電子メールアドレスを選択すべきところをＵＲＬを選択してしまったり、その逆にＵＲＬを選択すべき所を電子メールアドレスを選択してしまったりするといった誤操作を有効に防止すると共に、通信先の選択を容易に行うことができる。
【００３９】
また、この実施の形態では、「＠」マークの有無によって電子メールアドレスであるのかＵＲＬであるのかを判断して、通信先候補の抽出を実行しているので、通信先候補をＬＣＤ１１に表示する際に間違いが生じることがない。換言するならば、電子メールアドレスもＵＲＬも英数字で記載されるものの、電子メールアドレスには必ず「＠」マークが存在しているという性質を有効に活用したものである。そして、インターネットファクシミリ通信システム１によれば、電子メールアドレスとＵＲＬが混在して登録されているＥＥＰＲＯＭ１０ｄの中から、ユーザの意図に応じて電子メールアドレス及びＵＲＬのいずれか一方だけを効率よく抽出して通信先候補としてＬＣＤ１１に表示することができる。
【００４０】
スキャナ１０ｆに原稿がセットされている場合には、ＥＥＰＲＯＭ１０ｄに登録されている電子メールアドレス宛にファクシミリデータを送信する処理を行うものと判断し、当該原稿を読み取って、インターネット経由で所望の宛先の電子メールアドレス宛に電子メール化したファクシミリデータを送信することをユーザが欲しているものと判断する様に構成されているので、ファクシミリデータをインターネット経由で送信する処理を確実に実行することができる。
【００４１】
また、スキャナ１０ｆに原稿がセットされていない場合には、さらに、「１．ＴＥＸＴ  ＴＯ  ＭＡＩＬ」を実行したいのか、「２．ＷＥＢ  Ｒｅｔｒｉｖａｌ」を実行したいのかに応じて、ＥＥＰＲＯＭ１０ｄに予め登録されている通信先候補の中から、電子メールアドレスのみ又はＵＲＬのみを抽出してＬＣＤ１１に表示する様に構成されているので、これによってもユーザの意図を反映した通信先候補の表示が実行され、ユーザは、自分がこれから通信先として選択しようとしている電子メールアドレスやＵＲＬを容易に選択することができる。
【００４２】
さらに、インターネット４０に接続されるサーバ３０は、ＦＡＸ装置１０からＧ３圧縮データを受信した場合には当該Ｇ３圧縮データを電子メールフォーマットのデータに変換して選択されている電子メールアドレス宛に送信する処理を実行すると共に、通信先としてＵＲＬが選択された場合には、当該ＵＲＬに対応するＷＥＢに接続して当該ＷＥＢからホームページデータのダウンロードを受けると共に当該ホームページデータをＧ３圧縮データに変換してＦＡＸ装置１０にコールバックする処理を実行する。この結果、ＦＡＸ装置１０は、Ｇ３圧縮データの送信とＧ３圧縮データの受信とを行うことになり、それ自身は、Ｇ３圧縮データを電子メールとして送信可能なテキストデータ化イメージデータへの変換を行ったり、逆に、ＨＴＭＬデータをＧ３圧縮データに変換する処理を行うことなく、ファクシミリデータを所望の宛先に対してインターネット経由で送信したり、所望のＷＥＢのホームページデータをダウンロードして印刷出力するといったことを実行することができる。この結果、データモデムを用いる必要がなく安価なＦＡＸモデム１０ｉさえ備えていればよいという点でＦＡＸ装置１０の構成を通常のＦＡＸ装置と同様のものとして構成することができるという効果がある。
【００４３】
なお、この実施の形態のＦＡＸ装置１０は、公衆回線を利用した通常のファクシミリデータの送信を実行することができることはもちろんである。
【００４４】
以上、本発明の一実施の形態について説明したが、本発明はこの実施の形態に限られるものではなく、その要旨を逸脱しない範囲内においてさらに種々の形態を採用することができることはもちろんである。
【００４５】
【発明の効果】
以上説明した様に、本発明によれば、インターネット経由で電子メールやファクシミリデータの送信を行うと共に、インターネット経由で所定のＷＥＢのホームページデータをダウンロードする機能を有する新規なインターネット通信システムを提案すると共に、かかる新規なインターネット通信システムにおいて、電子メールアドレスやＵＲＬの選択を容易に行うことができる。
【００４６】
具体的には、請求項１のインターネット通信システムによれば、ユーザがインターネット経由で所望の宛先に電子メール化されたデータを送信することを希望する場合には、通信先候補としては、通信先登録手段に登録されている電子メールアドレスだけが候補として表示され、逆に、ユーザが所定のＷＥＢからホームページデータをダウンロードしたいという場合には、通信先登録手段に登録されているＵＲＬだけが表示されるので、選択手段による通信先の選択において、電子メールアドレスを選択すべきところをＵＲＬを選択してしまったり、その逆にＵＲＬを選択すべき所を電子メールアドレスを選択してしまったりするといった誤操作を有効に防止すると共に、通信先の選択を容易に行うことができるという効果が発揮される。また、原稿読み取り手段に原稿がセットされている場合に、インターネット指令手段による指令がなされた場合には、当該原稿を読み取って、インターネット経由で所望の宛先の電子メールアドレス宛に電子メール化したファクシミリデータを送信することをユーザが欲しているものと判断することができる。
【００４７】
また、請求項２のインターネット通信システムによれば、電子メールアドレスには必ず「＠」マークが存在しているという性質を有効に活用し、電子メールアドレスとＵＲＬが混在して登録されている通信先登録手段の中から、ユーザの意図に応じて電子メールアドレス及びＵＲＬのいずれか一方だけを効率よく抽出して通信先候補として表示することができる。
【００４８】
【００４９】
また、請求項３のインターネット通信システムによれば、原稿読み取り手段に原稿がセットされていない場合にも、ユーザの意図を反映した通信先候補の表示が実行され、ユーザは、自分がこれから通信先として選択しようとしている
電子メールアドレスやＵＲＬを容易に選択することができる。
【００５０】
また、請求項４のインターネット通信システムによれば、ファクシミリ端末は、Ｇ３データの送信とＧ３データの受信とを行うことになり、それ自身は、Ｇ３データを電子メールとして送信可能なテキストデータ化イメージデータへの変換を行ったり、逆に、ＨＴＭＬデータをＧ３データに変換する処理を行うことなく、ファクシミリデータを所望の宛先に対してインターネット経由で送信したり、所望のＷＥＢのホームページデータをダウンロードして印刷出力するといったことを実行可能になる。
【図面の簡単な説明】
【図１】  実施の形態のインターネットファクシミリ通信システムの全体の構成を示すブロック図である。
【図２】  実施の形態におけるＦＡＸ装置の外観を示す平面図である。
【図３】  実施の形態におけるＦＡＸ装置の制御系統の構成を示すブロック図である。
【図４】  実施の形態におけるＦＡＸ装置のＥＥＰＲＯＭの記憶内容を示す説明図である。
【図５】  実施の形態におけるインターネット通信制御処理の内容を示すフローチャートである。
【図６】  実施の形態におけるインターネット通信制御処理の内容を示すフローチャートである。
【図７】  実施の形態におけるインターネット通信制御処理の内容を示すフローチャートである。
【図８】  実施の形態でのサーバによるＷＥＢのホームページをダウンロードする際の制御処理の内容を示すフローチャートである。
【符号の説明】
１・・・インターネットファクシミリ通信システム、１０・・・ＦＡＸ装置、１０ａ・・・ＣＰＵ、１０ｂ・・・ＲＯＭ、１０ｃ・・・ＲＡＭ、１０ｄ・・・ＥＥＰＲＯＭ、１０ｄ１・・・ＦＡＸ番号記憶エリア、１０ｄ２・・・インターネット宛先記憶エリア、１０ｅ・・・文字入力キー、１０ｆ・・・スキャナ、１０ｇ・・・プリンタ、１０ｈ・・・符号・復号器、１０ｉ・・・ＦＡＸモデム、１０ｊ・・・ＮＣＵ、１１・・・ＬＣＤ、１２・・・テンキー、１３・・・Ｅ−Ｍａｉｌキー、１４・・・Ｅ−Ｍａｉｌ  ＩＮＤＥＸキー、１５，１６・・・スクロールキー、１７・・・選択キー、１８・・・スタートキー、２０・・・交換機、３０・・・サーバ、４０・・・インターネット、５０・・・ワールドワイドウェブ（ＷＷＷ）サーバ、６０・・・ＰＯＰサーバ、７０・・・相手先端末、８０・・・ＦＡＸ装置。
【図１】
0004306045.tif 000002
【図２】
0004306045.tif 000003
【図３】
0004306045.tif 000004
【図４】
0004306045.tif 000005
【図５】
0004306045.tif 000006
【図６】
0004306045.tif 000007
【図７】
0004306045.tif 000008
【図８】
0004306045.tif 000009